(57)【特許請求の範囲】
【請求項１】
矩形の遮熱型防火ガラス板を間仕切り壁として取り付ける遮熱型防火ガラス板の上辺あるいは左右辺の取り付け構造であって、
前記遮熱型防火ガラス板の厚さよりも大きい幅の基板部と、前記基板部の両側からそれぞれ屈曲された一対の側板部とで断面コ字状に形成され、前記基板部において建物躯体側に連結された鋼材と、
前記遮熱形防火ガラス板は、前記鋼材の前記基板部の内側面に上辺あるいは左右辺の端面を臨ませかつその端面を前記鋼材の前記基板部に平行させて配置されており、
前記鋼材の前記一対の側板部の外側面にそれぞれ取着され、それら側板部の外側面を覆うと共に前記遮熱型防火ガラス板の前記端面寄りの両側面部分の側方にそれぞれ位置する２枚の耐火被覆材製板材と、
前記鋼材の前記基板部の内側面と前記鋼材の前記一対の側板部の内側面と前記遮熱型防火ガラス板の前記端面とで形成される空間、および、前記２枚の耐火被覆材製板材の内側面と前記遮熱型防火ガラス板の前記端面寄りの両側面との間の空間に充填された耐熱繊維と、
前記２枚の耐火被覆材製板材の内側面と前記遮熱型防火ガラス板の前記端面寄りの両側面との間に充填されて、前記２枚の耐火被覆材製板材の内側面と前記遮熱型防火ガラス板の前記端面寄りの両側面との間の前記空間を封止する耐火シール材と、
前記２枚の耐火被覆材製板材を覆う化粧板とを備え、
前記２枚の耐火被覆材製板材は、ねじにより前記鋼材に取付けられており、該ねじの頭部は別の耐火被覆材製板材で被覆されており、
前記鋼材は、該鋼材の前記基板部の外側面が前記建物躯体側で覆われ、該鋼材の前記一対の側板部の外側面が前記耐火被覆材製板材で覆われ、該鋼材の前記基板部の内側面と、該鋼材の前記一対の側板部の内側面と、該鋼材の前記一対の側板部の先端面とが前記耐熱繊維及び前記耐火シール材により外部から遮断されていることにより、火災時の熱から遮断されるようにしてある、
ことを特徴とする間仕切り壁用遮熱型防火ガラス板の取り付け構造。
【請求項２】
矩形の遮熱型防火ガラス板を間仕切り壁として取り付ける遮熱型防火ガラス板の上辺あるいは左右辺の取り付け構造であって、
前板部と後板部と左右の側板部とから断面箱型に形成され、前後板部の幅は前記遮熱型防火ガラス板の厚さよりも大きく、前記後板部において建物躯体側に連結された鋼材と、
前記遮熱形防火ガラス板は、前記鋼材の前記前板部の外表面に上辺あるいは左右辺の端面を臨ませかつその端面を前記鋼材の前記前板部の外表面に平行させて配置されており、
前記鋼材の前記左右の側板部の外表面にそれぞれ取着され、それら側板部の外表面を覆うと共に前記遮熱型防火ガラス板の前記端面寄りの両側面部分の側方にそれぞれ位置する２枚の耐火被覆材製板材と、
前記鋼材の前記前板部の外表面と前記２枚の耐火被覆材製板材の内側面と前記遮熱型防火ガラス板の前記端面とで形成される空間、および、前記２枚の耐火被覆材製板材の内側面と前記遮熱型防火ガラス板の前記端面寄りの両側面との間の空間に充填された耐熱繊維と、
前記２枚の耐火被覆材製板材の内側面と前記遮熱型防火ガラス板の前記端面寄りの両側面との間に充填されて、前記２枚の耐火被覆材製板材の内側面と前記遮熱型防火ガラス板の前記端面寄りの両側面との間の前記空間を封止する耐火シール材と、
前記２枚の耐火被覆材製板材を覆う化粧板とを備え、
前記２枚の耐火被覆材製板材は、ねじにより前記鋼材に取付けられており、該ねじの頭部は別の耐火被覆材製板材で被覆されており、
前記鋼材は、該鋼材の前記基板部の外表面が前記建物躯体側で覆われ、該鋼材の前記左右の側板部の外表面が前記耐火被覆材製板材で覆われ、該鋼材の前記上板部の上面が前記耐熱繊維及び前記耐火シール材により外部から遮断されていることにより、火災時の熱から遮断されるようにしてある、
ことを特徴とする間仕切り壁用遮熱型防火ガラス板の取り付け構造。
【請求項３】
矩形の遮熱型防火ガラス板を間仕切り壁として取り付ける遮熱型防火ガラス板の下辺の取り付け構造であって、
前記遮熱型防火ガラス板の厚さよりも大きい幅の基板部及び上板部と、それら基板部及び上板部の両側に立設された一対の側板部とを有し、前記基板部において建物躯体側に連結されて水平方向に延在する鋼材と、
前記鋼材の前記上板部上に配置され前記遮熱型防火ガラス板の厚さよりも大きい幅を有する耐火材からなる載置板と、
前記遮熱形防火ガラス板は、前記載置板上に、下辺の端面が載置されており、
前記鋼材の前記一対の側板部の外側面にそれぞれ取着され、それら側板部の外側面を覆うと共に前記遮熱型防火ガラス板の前記端面寄りの両側面部分の側方にそれぞれ位置する２枚の耐火被覆材製板材と、
前記２枚の耐火被覆材製板材の内側面と前記遮熱型防火ガラス板の前記端面寄りの両側面との間の空間に充填された耐熱繊維と、
前記２枚の耐火被覆材製板材の内側面と前記遮熱型防火ガラス板の前記端面寄りの両側面との間に充填されて、前記２枚の耐火被覆材製板材の内側面と前記遮熱型防火ガラス板の前記端面寄りの両側面との間の前記空間を封止する耐火シール材と、
前記２枚の耐火被覆材製板材を覆う化粧板とを備え、
前記２枚の耐火被覆材製板材は、ねじにより前記鋼材に取付けられており、該ねじの頭部は別の耐火被覆材製板材で被覆されており、
前記鋼材は、該鋼材の前記基板部の外表面が前記建物躯体側で覆われ、該鋼材の前記一対の側板部の外表面が前記耐火被覆材製板材で覆われ、該鋼材の前記上板部の外表面及び前記一対の側板部の先端部が前記耐熱繊維及び前記耐火シール材により外部から遮断されていることにより、火災時の熱から遮断されるようにしてある、
ことを特徴とする間仕切り壁用遮熱型防火ガラス板の取り付け構造。
【請求項４】
前記耐火被覆材製板材はけい酸カルシウム板あるいは石膏ボードである請求項１乃至３の何れか１項記載の間仕切り壁用遮熱型防火ガラス板の取り付け構造。
【請求項５】
前記耐熱繊維はアルミナシリケート繊維あるいはロックウールである請求項１乃至３の何れか１項記載の間仕切り壁用遮熱型防火ガラス板の取り付け構造。
【発明の詳細な説明】
【０００１】
【発明の属する技術分野】
本発明は建築物の防火区画上の耐火間仕切り壁に関する。
【０００２】
【従来の技術】
間仕切り壁は建築物の内部を複数に仕切る際に用いられるものであり、従来、防火区画上の耐火間仕切り壁としては、コンクリートや石膏ボード、けい酸カルシウム板等が用いられている。
【０００３】
【発明が解決しようとする課題】
しかしながら、このような従来の耐火間仕切り壁では、間仕切り壁を透視することができないため、建築物の内部空間を閉鎖的なものとし、そのため、建築物の内部空間の用途によっては意匠上の問題を生じていた。
また、災害発生の避難時や、消防活動時においても、災害状況や火災状況を把握しにくい問題があった。
そこで、近年開発されつつある耐火性に優れた遮熱型防火ガラス板を間仕切り壁として用いることが考えられる。この遮熱型防火ガラス板として、例えば、積層ガラスの層間に熱感応型の透明発泡材が充填され、火災時に発泡して断熱層が形成されるタイプのもの等が提案されている。
このような遮熱型防火ガラス板を間仕切り壁として用いる場合、遮熱型防火ガラス板は耐火性に優れるものの、遮熱型防火ガラス板を支持する建具が溶融しないようにあるいは伸びないようにどのように構成するかが重要な問題となる。
本発明は前記事情に鑑み案出されたものであって、本発明の目的は、透視できる耐火間仕切り壁とすることで明るく快適な内部空間が得られ、また、災害時の安全性に優れ、更に、耐火性に優れた間仕切り壁用遮熱型防火ガラス板の取り付け構造を提供することにある。
【０００４】
【課題を解決するための手段】
前記目的を達成するため本発明は、矩形の遮熱型防火ガラス板を間仕切り壁として取り付ける遮熱型防火ガラス板の上辺あるいは左右辺の取り付け構造であって、前記遮熱型防火ガラス板の厚さよりも大きい幅の基板部と、前記基板部の両側からそれぞれ屈曲された一対の側板部とで断面コ字状に形成され、前記基板部において建物躯体側に連結された鋼材と、前記遮熱形防火ガラス板は、前記鋼材の前記基板部の内側面に上辺あるいは左右辺の端面を臨ませかつその端面を前記鋼材の前記基板部に平行させて配置されており、前記鋼材の前記一対の側板部の外側面にそれぞれ取着され、それら側板部の外側面を覆うと共に前記遮熱型防火ガラス板の前記端面寄りの両側面部分の側方にそれぞれ位置する２枚の耐火被覆材製板材と、前記鋼材の前記基板部の内側面と前記鋼材の前記一対の側板部の内側面と前記遮熱型防火ガラス板の前記端面とで形成される空間、および、前記２枚の耐火被覆材製板材の内側面と前記遮熱型防火ガラス板の前記端面寄りの両側面との間の空間に充填された耐熱繊維と、前記２枚の耐火被覆材製板材の内側面と前記遮熱型防火ガラス板の前記端面寄りの両側面との間に充填されて、前記２枚の耐火被覆材製板材の内側面と前記遮熱型防火ガラス板の前記端面寄りの両側面との間の前記空間を封止する耐火シール材と、前記２枚の耐火被覆材製板材を覆う化粧板とを備え、前記２枚の耐火被覆材製板材は、ねじにより前記鋼材に取付けられており、該ねじの頭部は別の耐火被覆材製板材で被覆されており、前記鋼材は、該鋼材の前記基板部の外側面が前記建物躯体側で覆われ、該鋼材の前記一対の側板部の外側面が前記耐火被覆材製板材で覆われ、該鋼材の前記基板部の内側面と、該鋼材の前記一対の側板部の内側面と、該鋼材の前記一対の側板部の先端面とが前記耐熱繊維及び前記耐火シール材により外部から遮断されていることにより、火災時の熱から遮断されるようにしてあることを特徴とする。
また、本発明は、矩形の遮熱型防火ガラス板を間仕切り壁として取り付ける遮熱型防火ガラス板の上辺あるいは左右辺の取り付け構造であって、前板部と後板部と左右の側板部とから断面箱型に形成され、前後板部の幅は前記遮熱型防火ガラス板の厚さよりも大きく、前記後板部において建物躯体側に連結された鋼材と、前記遮熱形防火ガラス板は、前記鋼材の前記前板部の外表面に上辺あるいは左右辺の端面を臨ませかつその端面を前記鋼材の前記前板部の外表面に平行させて配置されており、前記鋼材の前記左右の側板部の外表面にそれぞれ取着され、それら側板部の外表面を覆うと共に前記遮熱型防火ガラス板の前記端面寄りの両側面部分の側方にそれぞれ位置する２枚の耐火被覆材製板材と、前記鋼材の前記前板部の外表面と前記２枚の耐火被覆材製板材の内側面と前記遮熱型防火ガラス板の前記端面とで形成される空間、および、前記２枚の耐火被覆材製板材の内側面と前記遮熱型防火ガラス板の前記端面寄りの両側面との間の空間に充填された耐熱繊維と、前記２枚の耐火被覆材製板材の内側面と前記遮熱型防火ガラス板の前記端面寄りの両側面との間に充填されて、前記２枚の耐火被覆材製板材の内側面と前記遮熱型防火ガラス板の前記端面寄りの両側面との間の前記空間を封止する耐火シール材と、前記２枚の耐火被覆材製板材を覆う化粧板とを備え、前記２枚の耐火被覆材製板材は、ねじにより前記鋼材に取付けられており、該ねじの頭部は別の耐火被覆材製板材で被覆されており、前記鋼材は、該鋼材の前記後板部の外表面が前記建物躯体側で覆われ、該鋼材の前記左右の側板部の外表面が前記耐火被覆材製板材で覆われ、該鋼材の前記前板部の外表面が前記耐熱繊維及び前記耐火シール材により外部から遮断されていることにより、火災時の熱から遮断されるようにしてあることを特徴とする。
【０００５】
また、本発明は、矩形の遮熱型防火ガラス板を間仕切り壁として取り付ける遮熱型防火ガラス板の下辺の取り付け構造であって、前記遮熱型防火ガラス板の厚さよりも大きい幅の基板部及び上板部と、それら基板部及び上板部の両側に立設された一対の側板部とを有し、前記基板部において建物躯体側に連結されて水平方向に延在する鋼材と、前記鋼材の前記上板部上に配置され前記遮熱型防火ガラス板の厚さよりも大きい幅を有する耐火材からなる載置板と、前記遮熱形防火ガラス板は、前記載置板上に、下辺の端面が載置されており、前記鋼材の前記一対の側板部の外側面にそれぞれ取着され、それら側板部の外側面を覆うと共に前記遮熱型防火ガラス板の前記端面寄りの両側面部分の側方にそれぞれ位置する２枚の耐火被覆材製板材と、前記２枚の耐火被覆材製板材の内側面と前記遮熱型防火ガラス板の前記端面寄りの両側面との間の空間に充填された耐熱繊維と、前記２枚の耐火被覆材製板材の内側面と前記遮熱型防火ガラス板の前記端面寄りの両側面との間に充填されて、前記２枚の耐火被覆材製板材の内側面と前記遮熱型防火ガラス板の前記端面寄りの両側面との間の前記空間を封止する耐火シール材と、前記２枚の耐火被覆材製板材を覆う化粧板とを備え、前記２枚の耐火被覆材製板材は、ねじにより前記鋼材に取付けられており、該ねじの頭部は別の耐火被覆材製板材で被覆されており、前記鋼材は、該鋼材の前記基板部の外表面が前記建物躯体側で覆われ、該鋼材の前記一対の側板部の外表面が前記耐火被覆材製板材で覆われ、該鋼材の前記上板部の外表面及び前記一対の側板部の先端部が前記耐熱繊維及び前記耐火シール材により外部から遮断されていることにより、火災時の熱から遮断されるようにしてあることを特徴とする。
また、本発明は、前記耐火被覆材製板材がけい酸カルシウム板あるいは石膏ボードであることを特徴とする。
また、本発明は、前記耐熱繊維がアルミナシリケート繊維あるいはロックウールであることを特徴とする。
【０００６】
本発明では、間仕切り壁として遮熱型防火ガラス板を用いるので、間仕切り壁を透視でき、建築物の内部空間を開放的なものとし、また、災害発生の避難時や、消防活動時においても、災害状況や火災状況を容易に把握でき、安全性上も有利となる。
更に、遮熱型防火ガラス板の建具の中心をなす鋼材は、火災時に耐火被覆材製板材と耐熱繊維により保護され、熱が遮断されて溶融や伸びが防止される。
【０００７】
【発明の実施の形態】
次に、本発明の実施例を図面に従って説明する。
図１はガラス製耐火間仕切り壁の正面図、図２は図１のＡＡ断面図、図３は図１のＢＢ断面図、図４は図１のＣＣ断面図、図５は図１のＤＤ断面図を示す。
２はガラス製耐火間仕切り壁を示し、建築物の内部空間はガラス製耐火間仕切り壁２により二つの空間に仕切られている。
ガラス製耐火間仕切り壁２は、実施例では２枚の透明な遮熱型防火ガラス板４と塞板６から構成されている。
【０００８】
塞板６は床スラブ８と天井１０にわたって設けられ、塞板６の中央部に矩形の開口部１２が形成され、この開口部１２に前記２枚の遮熱型防火ガラス板４が配設されている。
遮熱型防火ガラス板４は上下に縦長の長方形であり、上下の辺を水平に、左右の辺を鉛直に向けて配設されている。
【０００９】
図２に示すように、前記各遮熱型防火ガラス板４の上辺の上方には鋼材１４が水平に延在している。
前記鋼材１４は、遮熱型防火ガラス板４の厚さよりも大きい幅の基板部１４０２と、基板部１４０２の両側からそれぞれ屈曲された一対の側板部１４０４から断面がコ字状に形成され、基板部１４０２の上面は鉄骨１５等の建物躯体側に連結されている。尚、前記塞板６は鉄骨１５の両面に取着された耐火被覆材製板材６０２により構成されている。
前記鋼材１４は、両側板部１４０４を下方に向けて配置されている。
鋼材１４は、基礎部１４０２において建物躯体に連結されており、そのため、この基礎部１４０２の外側面（上面）は、建物躯体によって覆われている。
前記遮熱型防火ガラス板４の上辺の端面４０２は、前記鋼材１４の両側板部１４０４の間で鋼材１４の基板部１４０２の内側面（下面）に平行して臨むように配置されている。
【００１０】
前記鋼材１４の両側板部１４０４の外側面にそれぞれ耐火被覆材製板材１６が取着され、耐火被覆材製板材１６により両側板部１４０４の外側面と遮熱型防火ガラス板４の端面４０２寄りの両側面部分の側方がそれぞれ覆われている。
前記耐火被覆材製板材１６は、ねじ１７により鋼材１４の対応する側板部１４０４に取り付けられており、ねじ１７の頭部は別の耐火被覆材製板材１９で被覆されている。
前記耐火被覆材製板材１６としてけい酸カルシウム板や石膏ボード等を用いることができ、実施例ではけい酸カルシウム板が用いられている。
【００１１】
前記鋼材１４の基板部１４０２の内側面（下面）と両側板部１４０４の内側面と遮熱型防火ガラス板４の端面４０２とで形成される空間１８、および、２枚の耐火被覆材製板材１６の内側面と遮熱型防火ガラス板４の端面４０２寄りの両側面４０４との間の空間２０には耐熱繊維２２が充填されている。
前記空間１８にはマット状の耐熱繊維２２が充填され、前記空間２０には筒状の耐熱繊維２２が充填されている。
前記耐熱繊維２２として、アルミナシリケート繊維やロックウール等を用いることができ、実施例では、超耐熱繊維であるアルミナシリケート繊維が用いられている。このアルミナシリケート繊維は１０００℃以上の熱を遮断する性質を有している。
【００１２】
更に、両耐火被覆材製板材１６をそれぞれ覆いその先端が遮熱型防火ガラス板４の側面４０４に臨むように化粧板２４が取り付けられている。
前記化粧板２４としては、アルミ、ステンレス等の金属板の他に、木材等も用いることができ、実施例ではアルミ製のものが用いられている。
そして、筒状の耐熱繊維２２の下方で、遮熱型防火ガラス板４の上辺の端面寄りの両側面４０４部分と、この両側面４０４部分に対向する前記耐火被覆材製板材１６の内側面との間、および、遮熱型防火ガラス板４の上辺の端面寄りの両側面４０４部分と、この両側面４０４部分に対向する化粧板２４の先端との間に、空間２０を封止する耐火シール材２６が充填されている。
従って、鋼材１４は、その基板部１４０２の内側面と、その一対の側板部１４０４の内側面と、その一対の側板部１４０４の先端面とが、耐熱繊維２２及び耐火シール材２６により外部から遮断されている。また更に、既述のごとく、鋼材１４は、その基板部１４０２の外側面が建物躯体で覆われ、その一対の側板部１４０４の外側面が耐火被覆材製板材１６で覆われており、これらによって、火災時の熱から遮断されるようにしてある。
【００１３】
図３に示すように、前記各遮熱型防火ガラス板４の下辺の下方には、断面が箱型の鋼材３０が水平に延在しており、この鋼材３０の下面は鉄骨３１等の建物躯体側に連結されている。
前記鋼材３０は遮熱型防火ガラス板４の厚さよりも大きい幅の上板部３００２を有し、上板部３００２の両側縁からはそれぞれ側板部３００４が立設され、それら側板部３００４の下端は基板部３００６によって連結されており、鋼材３０の上板部３００２には耐火材からなる載置板３２が取り付けられている。
鋼材３０は、基板部３００６において建物躯体に連結されており、そのため、この基板部３００６の外表面（下面）は、建物躯体によって覆われている。
前記遮熱型防火ガラス板４の下辺の端面４０２は、前記鋼材３０の両側板部３００４の間で前記載置板３２上に載置され、遮熱型防火ガラス板４が確実に支持されている。
【００１４】
前記鋼材３０の両側板部３００４の外表面に、前記耐火被覆材製板材１６と同様な耐火被覆材製板材３４がそれぞれ取着され、これら２枚の耐火被覆材製板材３４により鋼材３０の両側板部３００４の外表面が覆われると共に遮熱型防火ガラス板４の端面４０２寄りの両側面４０４部分の側方が覆われている。
前記耐火被覆材製板材３４はねじ３５により鋼材３０に取り付けられており、ねじ３５の頭部は別の耐火被覆材製板材３７で被覆されている。
【００１５】
前記両耐火被覆材製板材３４の内側面と遮熱型防火ガラス板４の端面４０２寄りの両側面４０４との間の空間に、前記耐熱繊維２２と同様な筒状の耐熱繊維３６が挿入され圧縮されている。
【００１６】
更に、両耐火被覆材製板材３４をそれぞれ覆うと共にその先端が遮熱型防火ガラス板４の側面４０４に臨むように、前記化粧板２４と同様な化粧板３８が取り付けられている。
そして、前記筒状の耐熱繊維３６の上方で、遮熱型防火ガラス板４の下辺の端面寄りの両側面４０４部分と、この両側面４０４部分に対向する前記耐火被覆材製板材３４の内側面との間、および、この両側面４０４部分に対向する化粧板３８との間に、耐熱繊維３６を挿入した上述の空間を封止する耐火シール材２６が充填されている。
従って、鋼材３０は、その上板部３００２の上面が耐熱繊維３６及び耐火シール材２６により外部から遮断されている。また更に、既述のごとく、鋼材３０は、その基板部３００６の外表面が建物躯体で覆われ、その左右の側板部３００４の外表面が耐火被覆材製板材３４で覆われており、これらによって、火災時の熱から遮断されるようにしてある。
【００１７】
また、図１の左に配置される遮熱型防火ガラス板４の左辺の側方には、図４に示すように、鋼材４０が鉛直に延在している。
前記鋼材４０は、遮熱型防火ガラス板４の厚さよりも大きい幅の基板部４００２と、基板部４００２の両側からそれぞれ屈曲された一対の側板部４００４から断面がコ字状に形成され、基板部４００２の外面は鉄骨４２等の建物躯体側に連結されている。
前記鋼材４０は、両側板部４００４が遮熱型防火ガラス板４側に向けて延出するように配置されている。
前記遮熱型防火ガラス板４の左辺の端面４０２は、前記鋼材４０の両側板部４００４の間で鋼材４０の基板部４００２の内側面に平行して臨むように配置されている。
【００１８】
前記鋼材４０の両側板部４００４にそれぞれ耐火被覆材製板材１６と同様な耐火被覆材製板材４４が取着され、耐火被覆材製板材４４により両側板部４００４の外側面と遮熱型防火ガラス板４の左辺の端面４０２寄りの両側面４０４部分の側方がそれぞれ覆われている。
前記耐火被覆材製板材４４は、ねじ４５により鋼材４０の対応する側板部４００４に取り付けられており、ねじ４５の頭部は別の耐火被覆材製板材４７で被覆されている。
【００１９】
前記鋼材４０の基板部４００２の内側面と両側板部４００４の内側面と遮熱型防火ガラス板４の端面４０２とで形成される空間４６、および、２枚の耐火被覆材製板材４４の内側面と遮熱型防火ガラス板４の端面４０２寄りの両側面４０４との間の空間４８には前記耐熱繊維２２と同様な耐熱繊維５０が充填されている。
前記空間４６にはマット状の耐熱繊維５０が充填され、前記空間４８には筒状の耐熱繊維５０が充填されている。
【００２０】
更に、両耐火被覆材製板材４４をそれぞれ覆いその先端が遮熱型防火ガラス板４の側面４０４に臨むように化粧板２４と同様な化粧板５２が取り付けられている。
そして、前記筒状の耐熱繊維５０の側方で、遮熱型防火ガラス板４の左辺の端面寄りの両側面４０４部分と、この両側面４０４部分に対向する前記耐火被覆材製板材４４の内側面との間、および、遮熱型防火ガラス板４の左辺の端面寄りの両側面４０４部分と、この両側面４０４部分に対向する化粧板５２の先端との間に、空間４８を封止する耐火シール材２６が充填されている。
従って、鋼材４０は、その基板部４００２の内側面と、その一対の側板部４００４の内側面と、その一対の側板部４００４の先端面とが、耐熱繊維５０及び耐火シール材２６により外部から遮断されている。また更に、鋼材４０は、その基板部４００２の外側面が建物躯体で覆われ、その一対の側板部４００４の外側面が耐火被覆材製板材４４で覆われており、これらによって、火災時の熱から遮断されるようにしてある。
なお、図１の右に配置される遮熱型防火ガラス板４の右辺の取り付けも上述した図１の左に配置される遮熱型防火ガラス板４の左辺の場合と同様である。
【００２１】
また、両遮熱型防火ガラス板４が互いに向かい合う内側の辺は、図５に示すように、鋼材６０が鉛直に延在しており、この鋼材６０の延在方向の両端は鉄骨等の建物躯体側に連結されている。
前記鋼材６０は、遮熱型防火ガラス板４の厚さよりも大きい幅の基板部６００２と、基板部６００２の両側の一対の側板部６００４からなるＩ型鋼で、両側板部６００４を左右の遮熱型防火ガラス板４側に向けて配置されている。
遮熱型防火ガラス板４が鋼材６０に臨む辺の端面４０２は、前記鋼材６０の両側板部６００４の間で鋼材６０の基板部６００２に平行して臨むように配置されている。
【００２２】
前記鋼材６０の両側板部６００４にそれぞれ耐火被覆材製板材１６と同様な耐火被覆材製板材６４が取着され、耐火被覆材製板材６４により両側板部６００４と各遮熱型防火ガラス板４の端面４０２寄りの両側面４０４部分の側方がそれぞれ覆われている。
耐火被覆材製板材６４は、ねじ６５により鋼材６０の側板部６００４に取り付けられており、ねじ６５の頭部は別の耐火被覆材製板材６７で被覆されている。
【００２３】
前記鋼材６０の基板部６００２と両側板部６００４と遮熱型防火ガラス板４の端面４０２とで形成される空間６６、および、２枚の耐火被覆材製板材６４と遮熱型防火ガラス板４の端面４０２寄りの両側面４０４との間の空間６８には耐熱繊維２２と同様な耐熱繊維７２が充填されている。
前記空間６６にはマット状の耐熱繊維７２が充填され、前記空間６８には筒状の耐熱繊維７２が充填されている。
【００２４】
更に、両耐火被覆材製板材６４をそれぞれ覆いその先端が遮熱型防火ガラス板４の側面４０４に臨むように化粧板７４が取り付けられている。
そして、前記筒状の耐熱繊維７２の側方で、遮熱型防火ガラス板４の端面４０２寄りの両側面４０４部分と、この両側面４０４部分に対向する前記耐火被覆材製板材６４の内側面との間、および、遮熱型防火ガラス板４の端面４０２寄りの両側面４０４部分と、この両側面４０４部分に対向する化粧板７４の先端の間に、空間６８を封止する耐火シール材２６が充填されている。
【００２５】
本実施例によれば、間仕切り壁として遮熱型防火ガラス板４を用いたので、間仕切り壁を透視でき、建築物の内部空間を開放的なものとし、また、意匠上従来にはない異なった趣を味わうことができる。
また、間仕切り壁を透視できることから、災害発生の避難時や、消防活動時においても、災害状況や火災状況を容易に把握でき、安全性上も有利となる。
更に、遮熱型防火ガラス板４の建具の中心をなす鋼材１４、３０、４０、６０は、火災時に耐火被覆材製板材１６、３４、４４、６４と耐熱繊維２２、３６、５０、７２により保護され、熱が遮断されて溶融や伸びが防止される。
また、遮熱型防火ガラス板４の上辺及び左右辺に臨む鋼材１４、４０、６０として、基板部と側板部とからなるコ字状の鋼材を用いたので、場所を取ることなく遮熱型防火ガラス板４の上辺及び左右辺を取り付けることが可能となる。
【００２６】
次に、図６を参照して変形例について説明する。
この変形例では鋼材８０の断面が前記実施例と異なる。
遮熱型防火ガラス板４の左辺の取り付けを例にとって説明すると、遮熱型防火ガラス板４の左辺の側方に鋼材８０が鉛直に延在している。
前記鋼材８０は前後板部８００２、８００３と左右の側板部８００４とから断面箱型に形成され、前後板部８００２、８００３の幅は遮熱型防火ガラス板４の厚さよりも大きく形成されている。鋼材８０は後板部８００３において建物躯体に連結されている。
前記鋼材８０の前板部８００２の外表面に左辺の端面４０２を臨ませ、かつ前記前板部８００２の外表面に端面４０２を平行させて遮熱型防火ガラス板４が配置されている。
前記鋼材８０の左右の側板部８００４にそれぞれ耐火被覆材製板材８４が取着され、これら耐火被覆材製板材８４により両側板部８００４の外表面が覆われると共に、遮熱型防火ガラス板４の端面４０２寄りの両側面４０４部分の側方が覆われている。
【００２７】
前記鋼材８０の前板部８００２の外表面と遮熱型防火ガラス板４の端面４０２とで形成される空間８６、および、２枚の耐火被覆材製板材８４の内側面と遮熱型防火ガラス板４の端面４０２寄りの両側面４０４との間の空間８８にマット状と筒状の耐熱繊維９０が充填されている。
また、前記２枚の耐火被覆材製板材８４をそれぞれ覆うと共にその先端が遮熱型防火ガラス板４の側面４０４に臨むように化粧板９２が取りつけられ、筒状の耐熱繊維９０の外側に耐火シール材２６が充填されている。
耐火被覆材製板材８４や耐熱繊維９０、化粧板９２の材料は前記実施例と同様であり、遮熱型防火ガラス板４の上辺や右辺の取り付け構造の場合も上記と同様である。
断面コ字状の鋼材１４、４０、６０に比べて断面箱型の鋼材８０は場所を取るものの、鋼材８０の強度を高める上で有利となり、建築物の内部空間を開放的なものとする効果や、安全性上も有利となる効果、鋼材の溶融や伸びを防止する効果は前記実施例と同様である。
【００２８】
【発明の効果】
以上の説明で明らかなように本発明の間仕切り壁用遮熱型防火ガラス板の取り付け構造によれば、間仕切り壁を透視でき、建築物の内部空間を開放的なものとし、また、意匠上従来にはない異なった趣を味わうことができる。
また、間仕切り壁を透視できることから、災害発生の避難時や、消防活動時においても、災害状況や火災状況を容易に把握でき、安全性上も有利となる。
更に、遮熱型防火ガラス板の建具の中心をなす鋼材は、火災時に耐火被覆材製板材と耐熱繊維により保護され、熱が遮断されて溶融や伸びが防止される。
また、遮熱型防火ガラス板の上辺及び左右辺に臨む鋼材として、基板部と側板部とからなるコ字状の鋼材を用いたので、場所を取ることなく遮熱型防火ガラス板の上辺及び左右辺を取り付けることが可能となり、断面箱型の鋼材を用いた場合には、鋼材の強度を高める上で有利となり、遮熱型防火ガラス板の下辺は鋼材の上の耐火材製の載置板上に載置するようにしたので鋼材を熱から保護し遮熱型防火ガラス板を安定して支持することが可能となる。
【図面の簡単な説明】
【図１】  ガラス製耐火間仕切り壁の正面図である。
【図２】  図１のＡＡ断面図である。
【図３】  図１のＢＢ断面図である。
【図４】  図１のＣＣ断面図である。
【図５】  図１のＤＤ断面図である。
【図６】  断面の異なる鋼材を用いて遮熱型防火ガラス板を取りつける場合の説明図である。
【符号の説明】
４  遮熱型防火ガラス板
１４  鋼材
１６  耐火被覆材製板材
２２  耐熱繊維
２４  化粧板
２６  耐火シール材
【図１】
0003784033.tif 000002
【図２】
0003784033.tif 000003
【図３】
0003784033.tif 000004
【図４】
0003784033.tif 000005
【図５】
0003784033.tif 000006
【図６】
0003784033.tif 000007